(57)【要約】【課題】一度蓋を閉じると、再度蓋を開ける際には、包装箱の一部を破壊しないと蓋を開けることができない構造を備える、開封防止機構付包装箱を提供する。【解決手段】この開封防止機構付包装箱１は、差込片１４５が差込穴Ｓ１１に差し込まれた状態においては、蓋体１４２が容器本体１２０の開放部Ｃを封止した状態となるとともに、補助差込片１４５ｂ、１４５ｃの折り曲げられた状態が弾性力により元の状態に復元し、補助差込片１４５ｂ、１４５ｃの補助差込穴Ｓ１１ｂ,Ｓ１１ｃからの引き抜きができない状態となることで、蓋体１４２の開封状態への移動が阻止される。【選択図】図１
2014210591.tif 000002
【特許請求の範囲】
【請求項１】
底面部、前記底面部を取り囲む側面部、および、前記側面部の少なくとも一部に設けられ内部に延びる平面部を含み、前記側面部および前記平面部によって取り囲まれた収容空間に、被収容物を収容する紙製の容器本体と、
前記容器本体の開放部に対して開閉が可能な紙製の蓋体と、
前記容器本体の前記平面部に設けられたスリット状の差込穴と、
前記蓋体に設けられ、前記蓋体から前記容器本体側に向けて延び、前記差込穴に差込可能な差込片とを備え、
前記差込穴は、
前記側面部に沿って延びる主差込穴と、
前記主差込穴の端部に設けられ、前記主差込穴に交差し内部方向に延びる補助差込穴と、を有し、
前記差込片は、
前記主差込穴に差し込まれる主差込片と、
前記主差込片に対して弾性的に折れ曲がり、前記補助差込穴に折り曲げられた状態で差し込まれる補助差込片と、を有し、
前記差込片が前記差込穴に差し込まれた状態においては、前記蓋体が前記容器本体の前記開放部を封止した状態となるとともに、前記補助差込片の折り曲げられた状態が弾性力により元の状態に復元し、前記補助差込片の前記補助差込穴からの引き抜きができない状態となることで、前記蓋体の開封状態への移動が阻止される、開封防止機構付包装箱。
【請求項２】
前記補助差込穴は、
前記主差込穴の一端側に設けられる第１補助差込穴と、
前記主差込穴の他端側に設けられる第２補助差込穴と、を有し、
前記補助差込片は、
前記主差込片の一端側に設けられ前記第１補助差込穴に差し込まれる第１補助差込片と、
前記主差込片の他端側に設けられ前記第２補助差込穴に差し込まれる第２補助差込片と、を有する、
請求項１に記載の開封防止機構付包装箱。
【請求項３】
前記差込穴が設けられた前記平面部が連通する前記側面部には、脆弱部が設けられ、
前記差込片が前記差込穴に差し込まれ、前記蓋体の開封状態への移動が阻止された状態において、前記脆弱部に沿って前記側面部を破断することにより、前記蓋体の開封状態への移動が容易となる、
請求項１または２記載の開封防止機構付包装箱。
【発明の詳細な説明】
【技術分野】
【０００１】
この発明は、開封を防止することが可能な構造を備える、開封防止機構付包装箱に関する。
【背景技術】
【０００２】
近年、宅配サービスの需要が拡大していることに伴って、段ボール、コートボール紙等の紙製の包装箱の需要も拡大している。このような包装箱としては、たとえば特開２００４−６７２０９号公報（特許文献１）に開示される包装箱が挙げられる。
【０００３】
この包装箱は、一枚の用紙から型を用いて打ち抜かれており、折目線に沿って用紙を折り曲げることにより、容器本体と蓋体とを有する包装箱が完成する。
【先行技術文献】
【特許文献】
【０００４】
【特許文献１】特開２００４−６７２０９号公報
【発明の概要】
【発明が解決しようとする課題】
【０００５】
上記包装箱を用いて被収容物を搬送する際には、蓋体を容器本体に粘着テープを用いて固定した状態で搬送される。搬送中、第三者による被収容物の抜き取りを抑制するために、開封したことが判別できる粘着テープが用いられる。
【０００６】
しかし、粘着テープを用いることは、コストが包装箱の搬送コストに上乗せされることになる。特殊な粘着テープを用いた場合には、よりコストの増加を招く結果になる。
【０００７】
したがって、この発明は、上記課題を解決するためになされたもので、一度蓋を閉じると、蓋体の開封を抑制することが可能な構造を備える、開封防止機構付包装箱を提供することを目的とする。
【課題を解決するための手段】
【０００８】
この発明に基づいた、開封防止機構付包装箱においては、底面部、上記底面部を取り囲む側面部、および、上記側面部の少なくとも一部に設けられ内部に延びる平面部を含み、上記側面部および上記平面部によって取り囲まれた収容空間に、被収容物を収容する紙製の容器本体と、上記容器本体の開放部に対して開閉が可能な紙製の蓋体と、上記容器本体の上記平面部に設けられたスリット状の差込穴と、上記蓋体に設けられ、上記蓋体から上記容器本体側に向けて延び、上記差込穴に差込可能な差込片とを備える。
【０００９】
上記差込穴は、上記側面部に沿って延びる主差込穴と、上記主差込穴の端部に設けられ、上記主差込穴に交差し内部方向に延びる補助差込穴とを有する。
【００１０】
上記差込片は、上記主差込穴に差し込まれる主差込片と、上記主差込片に対して弾性的に折れ曲がり、上記補助差込穴に折り曲げられた状態で差し込まれる補助差込片とを有する。
【００１１】
上記差込片が上記差込穴に差し込まれた状態においては、上記蓋体が上記容器本体の上記開放部を封止した状態となるとともに、上記補助差込片の折り曲げられた状態が弾性力により元の状態に復元し、上記補助差込片の上記補助差込穴からの引き抜きができない状態となることで、上記蓋体の開封状態への移動が阻止される。
【００１２】
他の形態においては、上記補助差込穴は、上記主差込穴の一端側に設けられる第１補助差込穴と、上記主差込穴の他端側に設けられる第２補助差込穴とを有する。
【００１３】
上記補助差込片は、上記主差込片の一端側に設けられ上記第１補助差込穴に差し込まれる第１補助差込片と、上記主差込片の他端側に設けられ上記第２補助差込穴に差し込まれる第２補助差込片とを有する。
【００１４】
他の形態においては、上記差込穴が設けられた上記平面部が連通する上記側面部には、脆弱部が設けられ、上記差込片が上記差込穴に差し込まれ、上記蓋体の開封状態への移動が阻止された状態において、上記脆弱部に沿って上記側面部を破断することにより、上記蓋体の開封状態への移動が容易となる。
【発明の効果】
【００１５】
この発明の基づいた開封防止機構付包装箱においては、一度蓋を閉じると、再度蓋を開ける際には、包装箱の一部を破壊しないと蓋を開けることができない構造を備える、開封防止機構付包装箱を提供することを可能とする。
【図面の簡単な説明】
【００１６】
【図１】実施の形態における開封防止機構付包装箱の全体構造を示す斜視図である。
【図２】実施の形態における開封防止機構付包装箱の展開構造図である。
【図３】実施の形態における開封防止機構付包装箱の封止ステップを示す第１斜視図である。
【図４】実施の形態における開封防止機構付包装箱の封止ステップを示す第２斜視図である。
【図５】実施の形態における開封防止機構付包装箱の封止状態を示す部分拡大図である。
【図６】実施の形態における封止された開封防止機構付包装箱を開封する場合のステップを示す第１斜視図である。
【図７】実施の形態における封止された開封防止機構付包装箱を開封する場合のステップを示す第２斜視図である。
【図８】実施の形態における封止された開封防止機構付包装箱を開封する場合のステップを示す第３斜視図である。
【図９】実施の形態における封止された開封防止機構付包装箱を開封する場合のステップを示す第４斜視図である。
【図１０】実施の形態における開封防止機構付包装箱の設けられる脆弱部を示す部分拡大図である。
【図１１】実施の形態における開封防止機構付包装箱の設けられる他の形態の脆弱部を示す部分拡大図である。
【発明を実施するための形態】
【００１７】
本発明に基づいた実施の形態における開封防止機構付包装箱について、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。
【００１８】
（開封防止機構付包装箱１）
図１および図２を参照して、本実施の形態における開封防止機構付包装箱１の構造について説明する。図１は、開封防止機構付包装箱１の全体構造を示す斜視図、図２は、開封防止機構付包装箱１の展開構造図である。
【００１９】
図１を参照して、本実施の形態における開封防止機構付包装箱１は、段ボール紙を用いている。開封防止機構付包装箱１は、１枚の段ボール紙を打ち抜き、所定の折り線に沿って折ることで、箱状の形態となる。
【００２０】
図１に示すように、開封防止機構付包装箱１は、容器本体１２０および蓋体１４２と含む。容器本体１２０は、底面部１１４、この底面部１１４を取り囲む側面部１１１，１２１，１３１，１４１、および、この側面部１１１，１２１，１３１に設けられ内部に延びる平面部１１２，１２２，１３２を含む。蓋体１４２は、容器本体１２０の開放部に対して開閉が可能である。
【００２１】
側面部１１１，１２１，１３１，１４１および平面部１１２，１２２，１３２によって取り囲まれた収容空間Ｃに、被収容物を収容する。
【００２２】
容器本体１２０の手前側の平面部１１２には、スリット状の第１差込穴Ｓ１１が設けられている。蓋体１４２には、蓋体１４２から容器本体１２０側に向けて延び、第１差込穴Ｓ１１に差込可能な第１差込片１４５が設けられている。
【００２３】
容器本体１２０の左右の平面部１２２、１３２にも、それぞれスリット状の第２差込穴Ｓ２１および第３差込穴Ｓ３１が設けられ、蓋体１４２には、蓋体１４２から容器本体１２０側に向けて延び、第２差込穴Ｓ２１および第３差込穴Ｓ３１に差込可能な第２差込片１４３および第３差込片１４４が設けられている。
【００２４】
第１差込穴Ｓ１１は、側面部１１１に沿って延びる主差込穴Ｓ１１ａと、この主差込穴Ｓ１１ａの一端側に設けられる第１補助差込穴Ｓ１１ｂと、主差込穴Ｓ１１ａの他端側に設けられる第２補助差込穴Ｓ１１ｃとを有する。第１差込穴Ｓ１１の両端に２か所補助差込穴を設ける構造を示しているが、一方の端部、１か所補助差込穴を設ける構造でもよい。
【００２５】
第１差込片１４５は、主差込穴Ｓ１１ａに差し込まれる主差込片１４５ａと、主差込片１４５ａの一端側に設けられ第１補助差込穴Ｓ１１ｂに差し込まれる第１補助差込片１４５ｂと、主差込片１４５ａの他端側に設けられ第２補助差込穴Ｓ１１ｃに差し込まれる第２補助差込片１４５ｃとを有する。補助差込穴が１か所のみ設けられる場合には、補助差込片も１か所設けるだけでよい。
【００２６】
（開封防止機構付包装箱１の展開構造）
図２を参照して、上記構成を有する開封防止機構付包装箱１の展開構造について説明する。上述したように、開封防止機構付包装箱１は、１枚の段ボール紙を打ち抜き、所定の折り線に沿って折ることで、箱状の形態となる。
【００２７】
開封防止機構付包装箱１は、展開構造図においては、底面に位置し、矩形形状を有する底部１０１、この底部１０１を取り囲む側面部１１１，１２１，１３１，１４１を有する。底部１０１と側面部１１１，１２１，１３１，１４１との境界には、折り目線Ｌ１１,Ｌ２１，Ｌ３１，Ｌ４１が設けられる。
【００２８】
（側面部１１１側の構造）
側面部１１１には、側面部１１１に連続して平面部１１２、折り重ね面部１１３、および、底面部１１４が設けられている。側面部１１１と平面部１１２との境界には、折り目線Ｌ１２が設けられ、平面部１１２と折り重ね面部１１３との境界には、折り目線Ｌ１３が設けられ、折り重ね面部１１３と底面部１１４との境界には、折り目線Ｌ１４が設けられている。
【００２９】
平面部１１２には、折り目線Ｌ１２に沿って、主差込穴Ｓ１１ａが設けられている。主差込穴Ｓ１１ａの中央部には、外側に膨らむ曲面部Ｓ１１ｒが設けられている。
【００３０】
側面部１１１には、主差込穴Ｓ１１ａの一端側に連通し底部１０１側に延びる、破断予定部Ｂ１２が設けられている。同様に、主差込穴Ｓ１１ａの他端側に連通し底部１０１側に延びる、破断予定部Ｂ１３が設けられている。破断予定部Ｂ１２および破断予定部Ｂ１３は、底部１０１側に向かうにしたがって、徐々に相互の間隔が狭くなるように設けられている。この破断予定部Ｂ１２および破断予定部Ｂ１３は、脆弱部を構成する。
【００３１】
折り重ね面部１１３と底面部１１４との境界に位置する折り目線Ｌ１４には、所定の間隔を隔てて２か所切込線Ｓ１４，Ｓ１５が設けられている。
【００３２】
（側面部１２１側の構造）
側面部１２１には、側面部１２１に連続して平面部１２２が設けられている。側面部１２１と平面部１２２との境界には、折り目線Ｌ２２が設けられている。側面部１２１の一方の端部側には、第１補助側面１２３が設けられ、側面部１２１の一方の他端部側には、第２補助側面１２４が設けられている。
【００３３】
側面部１２１と第１補助側面１２３との境界には、折り目線Ｌ２５が設けられている。側面部１２１と第２補助側面１２４との境界には、折り目線Ｌ２６が設けられている。第２補助側面１２４の先端部近傍には、外側に向く係合凹部１２４ａが設けられている。
【００３４】
第１補助側面１２３と側面部１１１との間には、切込線Ｓ１６が設けられ、第２補助側面１２４と側面部１４１との間には、切込線Ｓ４５が設けられている。
【００３５】
側面部１２１と平面部１２２との境界に位置する折り目線Ｌ２２には、所定の間隔を隔てて２か所に第２差込穴Ｓ２１および切込線Ｓ２２が設けられている。
【００３６】
平面部１２２には、所定の折り目線Ｌ２３，Ｌ２４、および、切込線Ｓ２３,Ｓ２４，Ｓ２５が設けられている。
【００３７】
（側面部１３１側の構造）
側面部１３１には、側面部１３１に連続して平面部１３２が設けられている。側面部１３１と平面部１３２との境界には、折り目線Ｌ３２が設けられている。側面部１３１の一方の端部側には、第３補助側面１３３が設けられ、側面部１３１の一方の他端部側には、第４補助側面１３４が設けられている。
【００３８】
側面部１３１と第３補助側面１３３との境界には、折り目線Ｌ３５が設けられている。側面部１３１と第４補助側面１３４との境界には、折り目線Ｌ３６が設けられている。第４補助側面１３４の先端部近傍には、内側に向く係合凹部１３４ａが設けられている。
【００３９】
第３補助側面１３３と側面部１１１との間には、切込線Ｓ１７が設けられ、第４補助側面１３４と側面部１４１との間には、切込線Ｓ４６が設けられている。
【００４０】
側面部１３１と平面部１３２との境界に位置する折り目線Ｌ３２には、所定の間隔を隔ててに第３差込穴Ｓ３１および切込線Ｓ３２が設けられている。
【００４１】
平面部１３２には、所定の折り目線Ｌ３３，Ｌ３４、および、切込線Ｓ３３,Ｓ３４，Ｓ３５が設けられている。
【００４２】
（側面部１４１側の構造）
側面部１４１には、側面部１４１に連続して蓋体１４２、第１差込片１４５、第２差込片１４３、および第３差込片１４４が設けられている。側面部１４１と蓋体１４２との境界には、折り目線Ｌ４２が設けられている。第１差込片１４５と蓋体１４２との境界には、折り目線Ｌ４５が設けられ、第２差込片１４３と蓋体１４２との境界には、折り目線Ｌ４３が設けられ、第３差込片１４４と蓋体１４２との境界には、折り目線Ｌ４４が設けられている。第１差込片１４５の先端部分（図示の右側）には、凹部１４５ｄが設けられている。
【００４３】
第１差込片１４５には、主差込片１４５ａと第１補助差込片１４５ｂとの境界には、折り目線Ｌ４５が設けられ、主差込片１４５ａと第２補助差込片１４５ｃとの境界には、折り目線Ｌ４６が設けられている。
【００４４】
主差込片１４５ａには、蓋体１４２の開封時に折り曲げられる、第１開封用折り目線Ｌ４７および第２開封用折り目線Ｌ４８が設けらている。第１開封用折り目線Ｌ４７および第２開封用折り目線Ｌ４８の相互の間隔は、蓋体１４２から遠ざかるにしたがって間隔が狭くなるように設けられている。
【００４５】
本実施の形態では、段ボール紙を用いている。本実施の形態では、開封防止機構付包装箱１を組み立てた後の長手方向が図示の上下方向であるから、段ボール紙の目の方向（ＤＬ）は、図示の左右方向としている。
【００４６】
（開封防止機構付包装箱１の組み立て）
上記展開構造を有する開封防止機構付包装箱１の組み立てにおいては、上記した各折り目線に沿って段ボール紙を折り曲げる。図１に示すように、第２補助側面１２４の係合凹部１２４ａと第４補助側面１３４の係合凹部１３４ａとを係合させる。以上により、接着剤等を用いることなく、開封防止機構付包装箱１の組み立てが可能となる。
【００４７】
（開封防止機構付包装箱１の封止）
次に、図３から図５を参照して、開封防止機構付包装箱１の封止動作について説明する。図３は、封止ステップを示す第１斜視図、図４は、開封防止機構付包装箱１の封止ステップを示す第２斜視図、図５は、開封防止機構付包装箱１の封止状態を示す部分拡大図である。
【００４８】
図３を参照して、蓋体１４２に設けられた第１差込片１４５の第１補助差込片１４５ｂを折り目線Ｌ４５に沿って内側（図中Ｂ１方向）に折り曲げる。同様に、第２補助差込片１４５ｃを折り目線Ｌ４６に沿って内側に折り曲げる。第１補助差込片１４５ｂおよび第２補助差込片１４５ｃを折り曲げた状態のまま、第１差込片１４５を第１差込穴Ｓ１１に差し込む。この際、第２差込片１４３を第２差込穴Ｓ２１に差し込み、第３差込片１４４を第３差込穴Ｓ３１に差し込む。
【００４９】
図４に示すように、第１差込片１４５、第２差込片１４３および第３差込片１４４の各差込穴に差し込むことで、開封防止機構付包装箱１の封止動作が完了する。詳細には、図５に示すように、第１差込片１４５が第１差込穴Ｓ１１に差し込まれた状態においては、蓋体１４２が容器本体１２０の開放部を封止した状態となるとともに、第１補助差込片１４５ｂおよび第２補助差込片１４５ｃの折り曲げられた状態が弾性力により元の状態に復元し（図５中の矢印Ｂ２方向への復元）、第１補助差込片１４５ｂの第１補助差込穴Ｓ１１ｂからの引き抜き、および、第２補助差込片１４５ｃの第２補助差込穴Ｓ１１ｃからの引き抜きができない状態となる。その結果、蓋体１４２の開封状態への移動が阻止され、蓋体１４２の防止状態が維持される。
【００５０】
第三者が、蓋体１４２を開放しようとしても、蓋体１４２を破損または容器本体１２０を破損しなければ、蓋体１４２を開放できないため、第三者による開放を抑止させることができる。蓋体１４２を開放した場合には、開封防止機構付包装箱１に破損された状況が残るため、内部に収容された被収容物のすり換えに容易に気づくことができる。
【００５１】
（開封動作）
次に、図６から図９を参照して、封止された開封防止機構付包装箱１の開封について説明する。図６から図９は、封止された開封防止機構付包装箱を開封する場合のステップを示す第１から第４斜視図である。
【００５２】
図６を参照して、側面部１１１に設けられた破断予定部Ｂ１２および破断予定部Ｂ１３に挟まれた開放領域１１１ａを前側に引き倒す。これにより、他の領域に対して脆弱部である破断予定部Ｂ１２および破断予定部Ｂ１３が破断する。これにより、第１差込片１４５の主差込片１４５ａが露出した状態となる。
【００５３】
本実施の形態では、第１補助差込片１４５ｂおよび第２補助差込穴Ｓ１１ｃは、容器本体１２０の内部に収容された位置にあり、第１開封用折り目線Ｌ４７および第２開封用折り目線Ｌ４８の位置が、破断予定部Ｂ１２および破断予定部Ｂ１３により破断された位置とが略一致する状態となる。
【００５４】
次に、図７を参照して、主差込片１４５ａに設けられた凹部１４５ｄに指を掛け、主差込片１４５ａを前側に引き出す。この際、主差込片１４５ａには、第１開封用折り目線Ｌ４７および第２開封用折り目線Ｌ４８が設けられていることから、この第１開封用折り目線Ｌ４７および第２開封用折り目線Ｌ４８に沿って主差込片１４５ａが内側に向けて折れ曲がる。
【００５５】
次に、図８を参照して、引き続き主差込片１４５ａを前側に引き出すことで、第１差込片１４５が完全に外部に露出する。こにれより、蓋体１４２の開封状態への移動が容易になる。その後、図９に示すように、蓋体１４２を蓋体１４２を大きく開封することにより、被収容物の取出しが容易になる。
【００５６】
第三者の開封動作は、痕跡として開放領域１１１ａが前側に引き倒された状態が残るため、容易に第三者による不正行為があったことに所有者が気づくことができる。
【００５７】
本実施の形態では、図１０に示すように、主差込片１４５ａの第１開封用折り目線Ｌ４７および第２開封用折り目線Ｌ４８の位置と、破断予定部Ｂ１２および破断予定部Ｂ１３により破断された位置とが略一致する状態とし、第１開封用折り目線Ｌ４７と第２開封用折り目線Ｌ４８との間隔（破断予定部Ｂ１２と破断予定部Ｂ１３との間隔）が、上面から下面に向かうにしたがって、徐々に狭くなるように設けている。
【００５８】
これにより、開放領域１１１ａを前側に引き倒した後も、第１補助差込片１４５ｂおよび第２補助差込片１４５ｃは、容器本体１２０の内部に収容されているため、いきなり蓋体１４２が開放することを抑制することができる。
【００５９】
蓋体１４２の開放動作時には、第１開封用折り目線Ｌ４７および第２開封用折り目線Ｌ４８に沿って主差込片１４５ａが折り曲がることから、容易に主差込片１４５ａを容器本体１２０の内部から引き出すことができる。
【００６０】
開放領域１１１ａを前側に引き倒した際に、いきなり蓋体１４２が開放しても良い場合、薄い紙質を用いることで主差込片１４５ａを容器本体１２０の内部から引き出す際に大きな力が必要にならない場合には、図１１に示すように、第１開封用折り目線Ｌ４７および第２開封用折り目線Ｌ４８を相互に略平行となるように、上面から下面に向けてまっすぐに設けてもよい。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１  開封防止機構付包装箱、１３  底部、１１１，１２１，１３１，１４１  側面部、１１１ａ  開放領域、１１２，１２２，１３２  平面部，１１３  折り重ね面部、１１４  底面部、１２０  容器本体、１２３  第１補助側面、１２４  第２補助側面、１２４ａ，１３４ａ  係合凹部、１３３  第３補助側面、１３４  第４補助側面、１４２  蓋体、１４３  第２差込片、１４４  第３差込片、１４５  第１差込片、１４５ａ  主差込片、１４５ｂ  第１補助差込片、１４５ｃ  第２補助差込片、１４５ｄ  凹部、Ｂ１２，Ｂ１３  破断予定部、Ｌ１１，Ｌ１２，Ｌ１３，Ｌ１４，Ｌ１５，Ｌ２２，Ｌ２３，Ｌ２４，Ｌ２５，Ｌ２６，Ｌ３２，Ｌ３３，Ｌ３４，Ｌ３５，Ｌ３６，Ｌ４３，Ｌ４４，Ｌ４５，Ｌ４６  折り目線、Ｌ４７  第１開封用折り目線、Ｌ４８  第２開封用折り目線、Ｓ１１  第１差込穴、Ｓ１１ａ  主差込穴、Ｓ１１ｒ  曲面部、Ｓ１１ｃ  第２補助差込穴、Ｓ１１ｂ  第１補助差込穴、Ｓ１５，Ｓ１６，Ｓ２２，Ｓ２３，Ｓ３２，Ｓ３３，Ｓ４５，Ｓ４６  切込線、Ｓ２１  第２差込穴、Ｓ３１  第３差込穴。
【図１】
2014210591.tif 000003
【図２】
2014210591.tif 000004
【図３】
2014210591.tif 000005
【図４】
2014210591.tif 000006
【図５】
2014210591.tif 000007
【図６】
2014210591.tif 000008
【図７】
2014210591.tif 000009
【図８】
2014210591.tif 000010
【図９】
2014210591.tif 000011
【図１０】
2014210591.tif 000012
【図１１】
2014210591.tif 000013